(57)【要約】【課題】  取付が容易な固定具を提供する。【解決手段】  固定具２は、平板部材２１，２２，２４と棒状部材２３とを備える。平板部材２１，２２および棒状部材２３は、一体的に成形される。棒状部材２３は、平板部材２１，２２の面内方向に延伸する。平板部材２４は、本体部２４１が平板部材２１，２２と略直交するように取付部２４２，２４３によって平板部材２１，２２に取り付けられる。磁石２５，２６は、それぞれ、平板部材２１，２２の突出部２１３，２２３に主面２１Ａ，２２Ａ側から嵌め込まれる。固定具２を鉄製の支柱に固定する場合、主面２１Ａ，２２Ａ，２４１Ａが支柱の表面に接するように固定具２を支柱に配設する。そして、磁石２５，２６によって固定具２を支柱に付着させた状態で固定具２を支柱の長さ方向にスライドさせて所望の位置に固定具２を固定する。【選択図】        図２
2006334116.tif 000002
【特許請求の範囲】
【請求項１】
荷重支持部材が抜差される棒状部材を有する平板部材と、
前記平板部材に取り付けられた磁石とを備える固定具。
【請求項２】
荷重支持部材が抜差される棒状部材を有する第１の平板部材と、
前記第１の平板部材および前記棒状部材に略直交する第２の平板部材と、
前記第１および第２の平板部材の少なくとも一方の平板部材に取り付けられた磁石とを備える固定具。
【請求項３】
荷重支持部材が抜差される棒状部材を有する第１の平板部材と、
前記棒状部材の延伸方向を支柱の長さ方向と略直交する方向に設定する第２の平板部材と、
前記第１および第２の平板部材の少なくとも一方の平板部材に取り付けられた磁石とを備える固定具。
【請求項４】
略四角形の断面形状を有する支柱の第１の表面に取り付けられ、荷重支持部材が抜差される棒状部材を有する第１の平板部材と、
前記第１の表面に略直交する前記支柱の第２の表面に接し、前記第２の表面に略直交する方向に前記棒状部材の延伸方向を設定する第２の平板部材と、
前記第１および第２の平板部材の少なくとも一方の平板部材に取り付けられ、前記少なくとも一方の平板部材を前記支柱に付着させる磁石とを備える固定具。
【請求項５】
前記磁石は、前記第１の平板部材に取り付けられる、請求項２から請求項４のいずれか１項に記載の固定具。
【請求項６】
前記磁石は、前記第２の平板部材に取り付けられる、請求項２から請求項４のいずれか１項に記載の固定具。
【請求項７】
前記磁石は、
前記第１の平板部材に取り付けられた第１の磁石と、
前記第２の平板部材に取り付けられた第２の磁石とからなる、請求項２から請求項４のいずれか１項に記載の固定具。
【請求項８】
前記第２の平板部材は、前記棒状部材の延伸方向における前記第１の平面部材のいずれか一方端側において前記第１の平面部材と連結される、請求項２から請求項７のいずれか１項に記載の固定具。
【請求項９】
前記第１の平面部材は、前記棒状部材の延伸方向を調整するためのネジ穴を有する、請求項２から請求項８のいずれか１項に記載の固定具。
【請求項１０】
支柱と、
前記支柱に固定される固定具と、
前記固定具に取り付けられる荷重支持部材と、
前記荷重支持部材に取り付けられる棚板とを備え、
前記固定具は、請求項１から請求項９のいずれか１項に記載の固定具からなり、
前記荷重支持部材は、前記固定具の前記棒状部材に抜差される、物品支持装置。
【請求項１１】
荷重支持部材を支柱に固定する固定具を前記支柱に取り付ける取付方法であって、
前記固定具は、請求項１から請求項９のいずれか１項に記載の固定具からなり、
前記取付方法は、
前記固定具を前記磁石によって前記支柱の表面に付着する第１の工程と、
前記固定具の前記第１の平板部材をネジによって前記支柱に固定する第２の工程とを備える取付方法。
【請求項１２】
前記取付方法は、前記棒状部材の延伸方向を調整する第３の工程をさらに備える、請求項１１に記載の取付方法。
【請求項１３】
物品支持装置を組み立てる組立方法であって、
前記物品支持装置は、請求項１０に記載の物品支持装置からなり、
前記組立方法は、
前記支柱を設置する第１の工程と、
前記固定具を前記磁石によって前記支柱の表面に付着する第２の工程と、
前記固定具の前記第１の平板部材をネジによって前記支柱に固定する第３の工程と、
前記荷重支持部材を前記固定具の前記棒状部材に差し込む第４の工程と、
前記棚板を前記荷重支持部材に取り付ける第５の工程とを備える組立方法。
【請求項１４】
前記組立方法は、前記棒状部材の延伸方向を調整する第６の工程をさらに備える、請求項１３に記載の取付方法。
【発明の詳細な説明】
【技術分野】
【０００１】
この発明は、固定具、それを備えた物品支持装置、固定具の取付方法および物品支持装置の組立方法に関するものである。
【背景技術】
【０００２】
従来、物品を載せる棚板を支持する物品支持装置として特許文献１に開示された物品支持装置が知られている。図１４は、従来の物品支持装置を示す斜視図である。図１４を参照して、従来の物品支持装置３００は、支柱３１０と、固定具３２０と、荷重支持部材３３０と、棚板３４０と、ランナー３５０とを備える。
【０００３】
支柱３１０は、支持面３１１を有し、支持面３１１には、取付穴群３１２，３１３が形成されている。取付穴群３１２，３１３は、前後２列に形成され、前列の取付穴群３１２および後列の取付穴群３１３の高さ位置は、前列の取付穴群３１２が上段に位置するようにほぼ２０度ずらして配置されている。
【０００４】
固定具３２０は、支柱３１０の支持面３１１に固定される。荷重支持部材３３０は、その一部が固定具３２０に差し込まれる。棚板３４０は、荷重支持部材３３０上に載置される。ランナー３５０は、２本の支柱３１０，３１０の上端を連結する。
【０００５】
図１５は、図１４に示す固定具３２０の斜視図である。図１５を参照して、固定具３２０は、ほぼ外面および内面が四角形をなす筒状の金属製固定具であり、穴３２１，３２２を有する。そして、固定具３２０の突出部３２３は、後端３２４よりも上方に位置している。突出部３２３は、開口部３２５と、開口部３２５から突出部３２３の長さ方向に延びる中空穴３２６とを有する。
【０００６】
穴３２１，３２２は、それぞれ、図１４に示す支柱３１０の取付穴群３１２，３１３に対応して設けられている。
【０００７】
図１６は、図１４に示す荷重支持部材３３０の斜視図である。図１６を参照して、荷重支持部材３３０は、荷重受け部３３１と、係止部３３２とからなる。係止部３３２は、荷重支持部材３３１の軸方向と所定の角度を成して荷重受け部３３１の一方端に連結される。そして、係止部３３２は、図１５に示す固定具３２０の中空穴３２６に挿入される。これにより、荷重支持部材３３０は、荷重受け部３３１が水平になるように固定具３２０に取り付けられる。
【０００８】
従来の物品支持装置３００においては、固定具３２０の穴３２１，３２２をそれぞれ支柱３１０の取付穴群３１２，３１３に一致させた状態で留め具（図示省略）を穴３２１，３２２および取付穴群３１２，３１３に挿入して固定具３２０を支柱３１０に固定する。
【０００９】
そして、荷重支持部材３３０の係止部３３２を固定具３２０の中空穴３２６に挿入して荷重支持部材３３０を固定具３２０に取り付ける。その後、棚板３４０を荷重支持部材３３０の荷重受け部３３１に載せ、２本の支柱３１０の上端をランナー３５０によって連結する。これによって、物品支持装置３００が組み立てられる。
【特許文献１】特開平１０−３３２９０号公報
【発明の開示】
【発明が解決しようとする課題】
【００１０】
しかし、従来の物品支持装置３００を組み立てるとき、固定具３２０の穴３２１，３２２をそれぞれ支柱３１０の取付穴群３１２，３１３に一致させて保持する必要があるため、穴３２１，３２２がそれぞれ取付穴群３１２，３１３からずれた場合、固定具３２０を支柱３１０に正確に取り付けることが困難であるという問題がある。
【００１１】
特に、一人で固定具３２０を支柱３１０に固定する場合、操作者は、固定具３２０の穴３２１，３２２がそれぞれ支柱３１０の取付穴群３１２，３１３に一致するように一方の手で固定具３２０を保持しながら、他方の手で留め具を穴３２１，３２２および取付穴群３１２，３１３に挿入するため、固定具３２０を支柱３１０に正確に取り付けることが困難である。
【００１２】
そこで、この発明は、かかる問題を解決するためになされたものであり、その目的は、取付が容易な固定具を提供することである。
【００１３】
また、この発明の別の目的は、取付が容易な固定具を備えた物品支持装置を提供することである。
【００１４】
さらに、この発明の別の目的は、取付が容易な固定具を支柱に取り付ける取付方法を提供することである。
【００１５】
さらに、この発明の別の目的は、取付が容易な固定具を備えた物品支持装置の組立方法を提供することである。
【課題を解決するための手段】
【００１６】
この発明によれば、固定具は、平板部材と、磁石とを備える。平板部材は、荷重支持部材が抜差される棒状部材を有する。磁石は、平板部材に取り付けられる。
【００１７】
また、この発明によれば、固定具は、第１および第２の平板部材と、磁石とを備える。第１の平板部材は、荷重支持部材が抜差される棒状部材を有する。第２の平板部材は、第１の平板部材および棒状部材に略直交する。磁石は、第１および第２の平板部材の少なくとも一方の平板部材に取り付けられる。
【００１８】
さらに、この発明によれば、固定具は、第１および第２の平板部材と、磁石とを備える。第１の平板部材は、荷重支持部材が抜差される棒状部材を有する。第２の平板部材は、棒状部材の延伸方向を支柱の長さ方向と略直交する方向に設定する。磁石は、第１および第２の平板部材の少なくとも一方の平板部材に取り付けられる。
【００１９】
さらに、この発明によれば、固定具は、第１および第２の平板部材と、固定具とを備える。第１の平板部材は、略四角形の断面形状を有する支柱の第１の表面に取り付けられ、荷重支持部材が抜差される棒状部材を有する。第２の平板部材は、第１の表面に略直交する支柱の第２の表面に接し、第２の表面に略直交する方向に棒状部材の延伸方向を設定する。磁石は、第１および第２の平板部材の少なくとも一方の平板部材に取り付けられ、少なくとも一方の平板部材を支柱に付着させる。
【００２０】
好ましくは、磁石は、第１の平板部材に取り付けられる。
【００２１】
好ましくは、磁石は、第２の平板部材に取り付けられる。
【００２２】
好ましくは、磁石は、第１の平板部材に取り付けられた第１の磁石と、第２の平板部材に取り付けられた第２の磁石とからなる。
【００２３】
好ましくは、第２の平板部材は、棒状部材の延伸方向における第１の平面部材のいずれか一方端側において第１の平面部材と連結される。
【００２４】
好ましくは、第１の平面部材は、棒状部材の延伸方向を調整するためのネジ穴を有する。
【００２５】
さらに、この発明によれば、物品支持装置は、支柱と、固定具と、荷重支持部材と、棚板とを備える。固定具は、支柱に固定される。荷重支持部材は、固定具に取り付けられる。棚板は、荷重支持部材に取り付けられる。そして、固定具は、請求項１から請求項９のいずれか１項に記載の固定具からなる。また、荷重支持部材は、固定具の棒状部材に抜差される。
【００２６】
さらに、この発明によれば、取付方法は、荷重支持部材を支柱に固定する固定具を支柱に取り付ける取付方法である。固定具は、請求項１から請求項９のいずれか１項に記載の固定具からなる。そして、取付方法は、固定具を磁石によって支柱の表面に付着する第１の工程と、固定具の第１の平板部材をネジによって支柱に固定する第２の工程とを備える。
【００２７】
好ましくは、取付方法は、棒状部材の延伸方向を調整する第３の工程をさらに備える。
【００２８】
さらに、この発明によれば、組立方法は、物品支持装置を組み立てる組立方法である。物品支持装置は、請求項１０に記載の物品支持装置からなる。そして、組立方法は、支柱を設置する第１の工程と、固定具を磁石によって支柱の表面に付着する第２の工程と、固定具の第１の平板部材をネジによって支柱に固定する第３の工程と、荷重支持部材を固定具の棒状部材に差し込む第４の工程と、棚板を荷重支持部材に取り付ける第５の工程とを備える。
【００２９】
好ましくは、組立方法は、棒状部材の延伸方向を調整する第６の工程をさらに備える。
【発明の効果】
【００３０】
この発明においては、固定具は、平板部材と、平板部材に取り付けられた磁石とを備えるので、固定具を支柱に固定する場合、磁石によって固定具を支柱に付着させた状態で、固定具を支柱の上下方向へスライドさせるとともに固定具を支柱の支持面内で回転させ、棒状部材の延伸方向を所望の方向に調整し、かつ、所望の位置に固定具を固定する。
【００３１】
したがって、この発明によれば、固定具を支柱に容易に固定できる。
【００３２】
また、この発明においては、固定具は、第１の平板部材と、第１の平板部材に設けられた棒状部材の延伸方向を設定する第２の平板部材と、第１および第２の平板部材の少なくとも一方の平板部材に取り付けられた磁石とを備えるので、固定具を支柱に固定する場合、磁石によって固定具を支柱に付着させた状態で固定具を支柱の上下方向へスライドさせ、棒状部材の延伸方向を所定の方向に設定し、かつ、所望の位置に固定具を固定する。
【００３３】
したがって、この発明によれば、固定具を支柱に容易に固定できる。
【００３４】
さらに、この発明においては、物品支持装置は、この発明による固定具を備えるので、容易に物品支持装置を組み立てることができる。
【発明を実施するための最良の形態】
【００３５】
本発明の実施の形態について図面を参照しながら詳細に説明する。なお、図中同一または相当部分には同一符号を付してその説明は繰返さない。
【００３６】
図１は、この発明の実施の形態による物品支持装置の斜視図である。図１を参照して、この発明の実施の形態による物品支持装置１０は、支柱１と、固定具２と、荷重支持部材３と、棚板４とを備える。
【００３７】
支柱１は、たとえば、鉄からなり、一般的には、磁石が付着する材料からなる。そして、支柱１は、四角形の断面形状を有する。
【００３８】
固定具２は、支柱１（１ａ）の支持面１１にネジ（図示せず）によって固定される。この場合、固定具２は、支柱１（１ａ）の任意の場所、すなわち、床面から任意の高さに固定される。また、同様にして、支柱１（１ｂ）の支持面１１にも固定具２が固定される。  
【００３９】
荷重支持部材３は、その一方端が固定具２に取り付けられる。荷重支持部材３の固定具２への取付け方法については、後に詳述する。
【００４０】
棚板４は、２個の荷重支持部材３，３を棚板４中に挿入することにより荷重支持部材３，３に固定される。そして、各種の物品が棚板４上に陳列される。このように、荷重支持部材３，３を棚板４中に挿入して棚板４を荷重支持部材３，３に取り付けることにより、外部から荷重支持部材３，３を見えなくでき、見栄えのよい物品支持装置１０を作製できる。
【００４１】
図２は、図１に示す固定具２の斜視図である。図２を参照して、固定具２は、平板部材２１，２２，２４と、棒状部材２３と、磁石２５，２６とからなる。平板部材２１，２２および棒状部材２３は、一体的に作製される。
【００４２】
棒状部材２３は、略コ字形状の断面形状を有し、一体作製部２３１と延伸部２３２とからなる。そして、平板部材２１は、その端部が一体作製部２３１の一方の水平部２３１Ａに連結されており、平板部材２２は、その端部が一体作製部２３１の他方の水平部２３１Ｂに連結されている。延伸部２３２は、一体作製部２３１から方向ＤＲ１へ延びるように設けられる。
【００４３】
平板部材２１は、穴２１１，２１２および突出部２１３を有し、平板部材２２は、穴２２１，２２２および突出部２２３を有する。穴２１１，２１２，２２１，２２２は、固定具２をネジ（図示せず）によって支柱１に固定するための穴である。突出部２１３は、平板部材２１の主面２１Ａ（紙面奥側）側から磁石２５を平板部材２１に嵌め込むために設けられ、突出部２２３は、平板部材２２の主面２２Ａ（紙面奥側）側から磁石２６を平板部材２２に嵌め込むために設けられる。そして、突出部２１３，２２３は、平板部材２１，２２のプレス加工により形成される。
【００４４】
平板部材２４は、本体部２４１と、取付部２４２，２４３とからなる。取付部２４２，２４３は、本体部２４１の面内方向と略直交するように本体部２４１と一体的に形成される。そして、本体部２４１は、突出部２４１１，２４１２を有し、取付部２４２は、穴２４２１〜２４２３を有し、取付部２４３は、穴２４３１を有する。穴２４２１〜２４２３，２４３１は、平板部材２４を平板部材２１，２２に取り付けるための穴であり、突出部２４１１，２４１２は、本体部２４１の主面２４１Ａ側から磁石を本体部２４１に嵌め込むために設けられる。そして、突出部２４１１，２４１２は、平板部材２４のプレス加工により形成される。
【００４５】
平板部材２４は、取付部２４２の穴（穴２４２１〜２４２３のいずれか１つの穴）および取付部２４３の穴２４３１にネジ（図示省略）を挿入することにより、平板部材２１，２２に取り付けられる。その結果、平板部材２４の本体部２４１は、平板部材２１，２２と略直交する。
【００４６】
固定具２が支柱１に固定されるとき、平板部材２１，２２の主面２１Ａ，２２Ａは、支柱１の支持面１１に接し、平板部材２４の主面２４１Ａは、支柱１の支持面１２に接する（図１参照）。
【００４７】
図３は、図２に示す平板部材２１，２２の主面２１Ａ，２２Ａ側から見た平板部材２１，２２および棒状部材２３の斜視図である。図３を参照して、平板部材２１は、穴２１１，２１２および突出部２１３に追加して穴２１４〜２１６を有する。穴２１４〜２１６は、それぞれ、ネジによって平板部材２４の取付部２４２の穴２４２１〜２４２３と連結される穴である。
【００４８】
また、平板部材２２は、穴２２１，２２２および突出部２２３に追加して穴２２４を有する。穴２２４は、ネジによって平板部材２４の取付部２４３の穴２４３１と連結される穴である。
【００４９】
磁石２５は、突出部２１３に嵌め込まれることにより平板部材２１に取り付けられ、磁石２６は、突出部２２３に嵌め込まれることにより平板部材２２に取り付けられる。磁石２５，２６は、それぞれ、突出部２１３，２２３に嵌め込まれた状態において主面２１Ａ，２２Ａから若干突出している。
【００５０】
このように、磁石２５，２６は、平板部材２１，２２の主面２１Ａ，２２Ａ側、すなわち、平板部材２１，２２が支柱１の支持面１１に接触する面側から平板部材２１，２２に取り付けられる。
【００５１】
図４は、図２に示す固定具２の平面図および側面図である。図４の（ａ）は、図２に示すＡ方向から見た固定具２の平面部材２１，２２および棒状部材２３の平面図であり、図４の（ｂ）は、図２に示すＢ方向から見た固定具２の平面部材２１，２２および棒状部材２３の側面図であり、図４の（ｃ）は、図２に示すＣ方向から見た固定具２の平面部材２１，２２および棒状部材２３の側面図である。
【００５２】
図４の（ａ）を参照して、平板部材２１の端面２１Ｂから平板部材２２の端面２２Ｂまでの距離Ｌ１は、たとえば、７５ｍｍに設定され、平板部材２１の端面２１Ｃ，２１Ｄ間の距離および平板部材２２の端面２２Ｃ，２２Ｄ間の距離Ｌ２は、たとえば、４０ｍｍに設定される。
【００５３】
穴２１１，２１２および突出部２１３は、平板部材２１の端面２１Ｂから距離Ｌ３の位置に形成され、穴２２１，２２２および突出部２２３は、平板部材２２の端面２２Ｂから距離Ｌ３の位置に形成される。距離Ｌ３は、たとえば、１０ｍｍに設定される。
【００５４】
穴２１６は、平板部材２１の端面２１Ｂから距離Ｌ４および端面２１Ｃから距離Ｌ５の位置に形成され、穴２２４は、平板部材２２の端面２２Ｂから距離Ｌ４の位置に形成される。距離Ｌ４は、たとえば、２２．５ｍｍに設定され、距離Ｌ５は、たとえば、１０ｍｍに設定される。
【００５５】
穴２１４は、平板部材２１の端面２１Ｂから距離Ｌ６および端面２１Ｃから距離Ｌ７の位置に形成され、穴２１５は、平板部材２１の端面２１Ｂから距離Ｌ８および端面２１Ｃから距離Ｌ９の位置に形成される。距離Ｌ６は、たとえば、２３．１ｍｍに設定され、距離Ｌ７は、たとえば、２７．０４ｍｍに設定され、距離Ｌ８は、たとえば、２２．６４ｍｍに設定され、距離Ｌ９は、たとえば、１８．５２ｍｍに設定される。
【００５６】
したがって、穴２１４〜２１６は、平板部材２１の端面２１Ｂから異なる位置に形成される。また、穴２１１，２１２，２１６および突出部２１３は、棒状部材２３を中心にしてそれぞれ穴２２１，２２２，２２４および突出部２２３と対称に形成される。そして、穴２１６，２２４間の距離Ｌ１０は、たとえば、３０ｍｍに設定され、穴２１１，２１２および突出部２１３と穴２２１，２２２および突出部２２３との間の距離Ｌ１１は、たとえば、５５ｍｍに設定される。
【００５７】
棒状部材２３は、平面部材２１の端面２１Ｄおよび平面部材２２の端面２２Ｄから距離Ｌ１２だけ突出している。そして、距離Ｌ１２は、たとえば、４５ｍｍに設定される。
【００５８】
図４の（ｂ）を参照して、棒状部材２３の距離Ｌ１３は、たとえば、７．１ｍｍに設定され、距離Ｌ１４は、たとえば、１２．３ｍｍに設定され、高さＨ１は、たとえば、１２．３ｍｍに設定される。また、距離Ｌ１５は、たとえば、３７．５ｍｍに設定される。そして、突出部２１３，２２３は、それぞれ、平板部材２１，２２から１．１ｍｍだけ突出している。突出部２１３が形成されたことに応じて、凹部２１７が平板部材２１に形成され、突出部２２３が形成されたことに応じて、凹部２２５が平板部材２２に形成される。凹部２１７，２２５は、それぞれ、磁石２５，２６が嵌め込まれる部分である。また、平板部材２１，２２の厚さｄ１は、たとえば、２．６ｍｍに設定される。
【００５９】
図４の（ｃ）を参照して、棒状部材２３は、穴２３３を有する。そして、穴２３３は、棒状部材２３の上面２３Ａから距離Ｌ１６および平板部材２２の端面２２Ｂから距離Ｌ１７の位置に形成される。距離Ｌ１６は、たとえば、６．１５ｍｍに設定され、距離Ｌ１７は、たとえば、３０ｍｍに設定される。
【００６０】
図５は、図２に示す固定具２の他の平面図および他の側面図である。図５の（ａ）は、図２に示すＡ方向から見た固定具２の平面部材２４の平面図であり、図５の（ｂ）は、図２に示すＤ方向から見た固定具２の平面部材２４の側面図であり、図５の（ｃ）は、図２に示すＥ方向から見た平面部材２４の側面図である。
【００６１】
図５の（ａ）を参照して、平面部材２４の取付部２４２，２４３は、同じ幅Ｗ１を有し、幅Ｗ１は、たとえば、１０ｍｍに設定される。そして、取付部２４２は、長さＬ１８を有し、取付部２４３は、長さＬ１９を有する。長さＬ１８は、たとえば、５２．６ｍｍに設定され、長さＬ１９は、たとえば、３６．６ｍｍに設定される。
【００６２】
穴２４２１は、取付部２４２の先端２４２Ａから距離Ｌ２０の位置に形成され、穴２４２２は、穴２４２１から距離Ｌ２１の位置に形成され、穴２４２３は、穴２４２２から距離Ｌ２２の位置に形成される。そして、距離Ｌ２０は、たとえば、５ｍｍに設定され、距離Ｌ２１，Ｌ２２の各々は、たとえば、８ｍｍに設定される。
【００６３】
取付部２４２，２４３間の距離Ｌ２３は、たとえば、２０ｍｍに設定される。穴２４３１は、本体部２４１の主面２４１Ａから距離Ｌ２４の位置に形成され、距離Ｌ２４は、たとえば、３０ｍｍに設定される。
【００６４】
本体部２４１において、突出部２４１２は、突出部２４１１から距離Ｌ２５の位置に形成され、距離Ｌ２５は、たとえば、３０ｍｍに設定される。
【００６５】
図５の（ｂ）を参照して、本体部２４１は、長さＬ２６および幅Ｗ２，Ｗ３を有する。長さＬ２６は、たとえば、２６ｍｍに設定され、幅Ｗ２は、たとえば、１４．９ｍｍに設定され、幅Ｗ３は、たとえば、１０．７ｍｍに設定される。そして、本体部２４１において、幅が幅Ｗ３である長さＬ２７は、たとえば、２０ｍｍに設定される。突出部２４１１は、端面２４１Ｂから距離Ｌ２８の位置および端面２４１Ｃから距離Ｌ２９の位置に形成される。突出部２４１２は、端面２４１Ｄから距離Ｌ２８および端面２４１Ｃから距離Ｌ２９の位置に形成される。そして、距離Ｌ２８は、たとえば、５ｍｍに設定され、距離Ｌ２９は、たとえば、５．３５ｍｍに設定される。
【００６６】
図５の（ｃ）を参照して、突出部２４１１は、本体部２４１の主面２４１Ｂから１．１ｍｍだけ突出しており、突出部２４１１が形成されたことに応じて、凹部２４１３が本体部２４１に形成される。また、突出部２４１２も、本体部２４１の主面２４１Ｂから１．１ｍｍだけ突出しており、突出部２４１２が形成されたことに応じて、凹部（図示せず）が本体部２４１に形成される。
【００６７】
図６は、固定具２における棒状部材２３の延伸方向の調整を説明するための図である。図６の（ａ）は、棒状部材２３の延伸方向が水平である場合を示し、図６の（ｂ）は、棒状部材２３の延伸方向が水平方向よりも１度だけ上方向へシフトした場合を示し、図６の（ｃ）は、棒状部材２３の延伸方向が水平方向よりも２度だけ上方向へシフトした場合を示す。
【００６８】
図６の（ａ）を参照して、平板部材２１の穴２１６が平板部材２４の穴２４２３に一致し、かつ、平板部材２２の穴２２４が平板部材２４の穴２４３１に一致するように平板部材２４を平板部材２１，２２に取り付けて固定具２を組み立て、その組み立てた固定具２を、平板部材２１，２２が支柱１の支持面１１に接し、かつ、平板部材２４が支柱１の支持面１２に接するように支柱１に配置した場合、棒状部材２３は、水平方向に向いた軸ＡＸ０に沿って延伸する。すなわち、棒状部材２３は、水平方向へ延伸する。
【００６９】
この場合、平板部材２４の取付部２４２，２４３の長さ方向は、水平方向である。また、平板部材２１の穴２１４，２１５は、それぞれ、平板部材２４の穴２４２１，２４２２と一致していない。そして、固定具２は、それぞれ、磁石２５，２６（突出部２１３，２２３に嵌め込まれている）によって支柱１に付着したままである。つまり、固定具２から手を離しても、固定具２は、支柱１に付着したままである。
【００７０】
図６の（ｂ）を参照して、平板部材２１の穴２１５が平板部材２４の穴２４２２に一致し、かつ、平板部材２２の穴２２４が平板部材２４の穴２４３１に一致するように平板部材２４を平板部材２１，２２に取り付けて固定具２を組み立て、その組み立てた固定具２を、平板部材２１，２２が支柱１の支持面１１に接し、かつ、平板部材２４が支柱１の支持面１２に接するように支柱１に配置した場合、棒状部材２３は、水平方向よりも１度だけ上方向を向いた軸ＡＸ１に沿って延伸する。すなわち、棒状部材２３は、水平方向よりも１度だけ上方向を向いた方向へ延伸する。
【００７１】
この場合、平板部材２４の取付部２４２，２４３の長さ方向は、水平方向（軸ＡＸ０の方向）であり、図４において説明したように、平板部材２１の穴２１６は、端面２１Ｂからの距離Ｌ４が２２．５ｍｍである位置に形成され、穴２１５は、端面２１Ｂからの距離Ｌ８が２２．６４ｍｍである位置に形成されるので、穴２１５が穴２４２２に一致するように平板部材２４を平板部材２１に取り付けた場合、平板部材２１，２２および棒状部材２３が水平方向から右方向へ若干回転した状態で固定具２が組み立てられる。
【００７２】
穴２１５，２１６間の水平方向の距離は、Ｌ９−Ｌ５＝１８．５２−１０＝８．５２ｍｍであり、穴２１５，２１６間の垂直方向の距離は、Ｌ８−Ｌ４＝２２．６４−２２．５＝０．１４ｍｍである。したがって、穴２１５と穴２１６とを結ぶ直線が水平方向となす角度は、ｔａｎ−１（０．１４／８．５２）＝０．９４度≒１度となる。
【００７３】
その結果、穴２１５が穴２４２２に一致するように平板部材２４を平板部材２１に取り付けた場合、棒状部材２３は、水平方向よりも１度だけ上方向を向いた方向に延伸する。
【００７４】
なお、この場合も、固定具２は、それぞれ、磁石２５，２６（突出部２１３，２２３に嵌め込まれている）によって支柱１に付着したままである。また、平板部材２１の穴２１４，２１６は、それぞれ、平板部材２４の穴２４２１，２４２３と一致していない。
【００７５】
図６の（ｃ）を参照して、平板部材２１の穴２１４が平板部材２４の穴２４２１に一致し、かつ、平板部材２２の穴２２４が平板部材２４の穴２４３１に一致するように平板部材２４を平板部材２１，２２に取り付けて固定具２を組み立て、その組み立てた固定具２を、平板部材２１，２２が支柱１の支持面１１に接し、かつ、平板部材２４が支柱１の支持面１２に接するように支柱１に配置した場合、棒状部材２３は、水平方向よりも２度だけ上方向を向いた軸ＡＸ２に沿って延伸する。すなわち、棒状部材２３は、水平方向よりも２度だけ上方向を向いた方向へ延伸する。
【００７６】
この場合、平板部材２４の取付部２４２，２４３の長さ方向は、水平方向（軸ＡＸ０の方向）であり、図４において説明したように、平板部材２１の穴２１６は、端面２１Ｂからの距離Ｌ４が２２．５ｍｍである位置に形成され、穴２１４は、端面２１Ｂからの距離Ｌ６が２３．１ｍｍである位置に形成されるので、穴２１４が穴２４２１に一致するように平板部材２４を平板部材２１に取り付けた場合、平板部材２１，２２および棒状部材２３が水平方向から右方向へ若干回転した状態で固定具２が組み立てられる。
【００７７】
穴２１４，２１６間の水平方向の距離は、Ｌ７−Ｌ５＝２７．０４−１０＝１７．０４ｍｍであり、穴２１４，２１６間の垂直方向の距離は、Ｌ６−Ｌ４＝２３．１−２２．５＝０．６ｍｍである。したがって、穴２１４と穴２１６とを結ぶ直線が水平方向となす角度は、ｔａｎ−１（０．６／１７．０４）＝２．０２度≒２度となる。
【００７８】
その結果、穴２１４が穴２４２１に一致するように平板部材２４を平板部材２１に取り付けた場合、棒状部材２３は、水平方向よりも２度だけ上方向を向いた方向に延伸する。
【００７９】
なお、この場合も、固定具２は、それぞれ、磁石２５，２６（突出部２１３，２２３に嵌め込まれている）によって支柱１に付着したままである。また、平板部材２１の穴２１５，２１６は、それぞれ、平板部材２４の穴２４２２，２４２３と一致していない。
【００８０】
このように、平板部材２４を平板部材２１に取り付ける穴を変えることによって棒状部材２３の延伸方向を調整することができる。したがって、平板部材２１の穴２１４〜２１６および平板部材２４の穴２４２１〜２４２３は、棒状部材２３の延伸方向を調整するための「ネジ穴」を構成する。
【００８１】
また、平板部材２４を平板部材２１に取り付ける穴が決定されれば、平板部材２１，２２が支柱１の支持面１１に接し、平板部材２４が支柱１の支持面１２に接するように固定具２を支柱１に設置すれば、棒状部材２３の延伸方向が所望の方向（水平方向、水平方向から１度だけ上方向および水平方向から２度だけ上方向のいずれか）に設定されるので、平板部材２４は、棒状部材２３の延伸方向を所望の方向に設定する機能を果たす。
【００８２】
棒状部材２３の延伸方向を水平方向よりも１度だけ上方向および水平方向よりも２度だけ上方向のいずれかに調整した場合、棚板４は、傾斜した状態（棚板４の前面側から棚板４の支柱１側へ向かって低くなるように傾斜した状態）で荷重支持部材３に取り付けられるが、棚板４に陳列する商品が棚板４から落下するのを防止したい場合に、棒状部材２３の延伸方向を水平方向よりも上向き方向に調整することが利用される。
【００８３】
また、床面が傾斜しており、支柱１が重力方向から傾いて設置された場合に、棒状部材２３の延伸方向を水平方向よりも上方向へ調整し、棚板４を重力方向に垂直な方向に設置するときに、棒状部材２３の延伸方向を水平方向よりも上向き方向に調整することが利用される。
【００８４】
図７は、図１に示す荷重支持部材３を固定具２に取り付ける方法を説明するための図である。図７を参照して、荷重支持部材３は、断面形状が四角形である筒状構造からなり、側面３１に穴３１１を有する。そして、荷重支持部材３を固定具２に取り付ける場合、固定具２の棒状部分２３が荷重支持部材３の中空部分３２に挿入されるように荷重支持部材３を矢印５の方向へ移動させる（図７の（ａ）参照）。
【００８５】
そうすると、固定具２の棒状部材２３は、荷重支持部材３の端面３３から中空部分３２に挿入される。この場合、荷重支持部材３の穴３１１が棒状部材２３の穴２３３に一致する位置まで荷重支持部材３を矢印５の方向へ移動させる。
【００８６】
そして、荷重支持部材３の穴３１１が棒状部材２３の穴２３３に一致すると、その位置で荷重支持部材３の移動を停止させ、穴２３３，３１１に止め具（図示せず）を挿入する（図７の（ｂ）参照）。これにより、荷重支持部材３の固定具２への取り付けが終了する。
【００８７】
図８は、図１に示す物品支持装置１０の組立方法を説明するための工程図である。図８を参照して、平面部材２１，２２が支柱１の支持面１１に接し、平板部材２４が支柱１の支持面１２に接するように固定具２を支柱１に配設する。
【００８８】
この場合、操作者は、平板部材２１，２２および平板部材２４がそれぞれ支持面１１，１２に接するように固定具２を支柱１に配設すれば、その後、固定具２から手を離しても固定具２が支柱１から落下することはない。上述したように、平板部材２１，２２には、磁石２５，２６が嵌め込まれているからである。
【００８９】
したがって、操作者は、少なくとも、磁石２５，２６が嵌め込まれた平板部材２１，２２を支持面１１に接するように固定具２を支柱１に配設すればよい。
【００９０】
そして、操作者は、固定具２を支柱１に配設した後、固定具２を上下方向ＤＲ２に移動させ、所望の位置で停止する。その後、操作者は、平板部材２１の穴２１１，２１２および平板部材２２の穴２２１，２２２にネジ（図示せず）を挿入して固定具２を支柱１に固定する（図８の（ａ）参照）。
【００９１】
操作者は、この固定具２の支柱１への固定を２個の固定具２について行ない、固定具２が固定された２本の支柱１ａ，１ｂを作製する（図８の（ｂ）参照）。そして、操作者は、荷重支持部材３ａ，３ｂを矢印５の方向へ移動させ、図７において説明した方法によって、荷重支持部材３ａを支柱１ａに固定された固定具２の棒状部材２３に取り付け、荷重支持部材３ｂを支柱１ｂに固定された固定具２の棒状部材２３に取り付ける（図８の（ｂ）参照）。
【００９２】
その後、操作者は、２個の荷重支持部材３ａ，３ｂが棚板４に挿入するように棚板４を矢印５の方向へ移動させて棚板４を荷重支持部材３ａ，３ｂに取付け、物品支持装置１０の組立が完了する（図８の（ｃ）参照）。
【００９３】
上述したように、固定具２は、平板部材２１，２２に嵌め込まれた磁石２５，２６を有するので、固定具２を鉄製の支柱１に配設すると、固定具２が磁力によって支柱１に付着し、操作者が固定具２から手を離しても固定具２は支柱１から落下しない。
【００９４】
そして、操作者は、固定具２を磁力によって支柱１に付着させた状態で、固定具２を上下方向ＤＲ２へスライドさせ、固定具２を所望の位置へ移動させることができる。
【００９５】
また、操作者は、固定具２を所望の位置へ移動させた後、棒状部材２３の延伸方向が水平方向を向くように調整する場合、固定具２を磁石２５，２６によって支柱１に付着させたまま、固定具２の平板部材２４が支柱１の支持面１２に接するように固定具２をスライドさせればよいので、棒状部材２３が所望の方向に延伸するように調整して固定具２を固定位置へ容易に設置できる。
【００９６】
従来の固定具は、平板部材２４に相当する部材および磁石２５，２６を有しないので、固定具の最終的な固定位置を決定する場合、固定具を手で支柱１の支持面１１に押し付けた状態で、固定具を上下方向ＤＲ２へスライドさせたり、支持面１１内で固定具を若干回転させる必要があり、固定具を支柱１の所望の高さに調整できても、その高さにおいて、荷重支持部材が水平に取り付けられるように固定具の向きをさらに調整することは困難である。
【００９７】
しかし、この発明による固定具２を用いた場合、磁石２５，２６によって固定具２を支柱１に付着させた状態で、所望の高さ位置へ固定具２をスライドさせるとともに平板部材２４が支柱１の支持面１２に接するように固定具２をスライドさせることにより、棒状部材２３の延伸方向を水平方向に向け、かつ、支柱１の所望の高さ位置に固定具２を固定できる。つまり、固定具２を所望の位置に容易に固定できる。
【００９８】
図９は、固定具２を支柱１に固定する動作を説明するためのフローチャートである。図９を参照して、一連の動作が開始されると、操作者は、棒状部材２３の延伸方向を所望の方向に調整して固定具２を組み立てる（ステップＳ１）。この場合、操作者は、図６において説明した方法によって棒状部材２３の延伸方向を調整して固定具２を組み立てる。
【００９９】
その後、操作者は、固定具２を磁石２５，２６によって支柱１に付着させ（ステップＳ２）、固定具２を支柱１に付着させた状態で固定具２をスライドさせて固定具２の最終的な固定位置を決定する。
【０１００】
そして、操作者は、その決定した位置で平板部材２１，２２の穴２１１，２１２，２２１，２２２にネジを挿入して固定具２を支柱１に固定する（ステップＳ３）。これによって、固定具２を支柱１に固定する動作が終了する。
【０１０１】
図１０は、図１に示す物品支持装置１０を組み立てる動作を説明するためのフローチャートである。図１０に示すフローチャートは、図９に示すフローチャートにステップＳ０，Ｓ４，Ｓ５を追加したものであり、その他は、図９に示すフローチャートと同じである。
【０１０２】
図１０を参照して、一連の動作が開始されると、操作者は、支柱１を設置する（ステップＳ０）。その後、図９において説明したステップＳ１〜ステップＳ３が実行され、固定具２が支柱１に固定される。
【０１０３】
固定具２が支柱１に固定されると、操作者は、荷重支持部材３を固定具２の棒状部材２３に差し込んで荷重支持部材３を固定具２に取り付ける（ステップＳ４）。操作者は、この荷重支持部材３の取り付けを２個の荷重支持部材３ａ，３ｂについて行なう。
【０１０４】
そして、操作者は、荷重支持部材３（３ａ，３ｂ）を棚板４に挿入して、棚板４を荷重支持部材３（３ａ，３ｂ）に取り付ける（ステップＳ５）。これにより、物品支持装置１０を組み立てる動作が終了する。
【０１０５】
なお、図９および図１０に示すフローチャートにおいては、棒状部材２３の延伸方向を調整した後に固定具２を磁石２５，２６によって支柱１に付着させると説明したが（ステップＳ１，Ｓ２参照）、この発明においては、これに限らず、固定具２を磁石２５，２６によって支柱１に付着させた後に、棒状部材２３の延伸方向を調整するようにしてもよい。
【０１０６】
図４において説明したように、固定具２の平板部材２１，２２は、距離Ｌ２を有し、この距離Ｌ２は、固定具２が支柱１に固定される場合、支柱１の支持面１１の幅方向における平板部材２１，２２の幅を表す。そして、この発明においては、距離Ｌ２を４０ｍｍに設定したので、支柱１の支持面１１の幅が変動しても、固定具２を支柱１に固定できる。
【０１０７】
したがって、この発明においては、固定具２の平板部材２１，２２の幅（＝距離Ｌ２）は、支持面１１の幅が異なる複数の支柱に固定具２を設置可能な幅に設定されることを特徴とする。
【０１０８】
上述したように、固定具２は、平板部材２１，２２に嵌め込まれた磁石２５，２６を備えるので、磁力によって支柱１に付着させた状態で固定具２の固定位置を調整して固定具２を支柱１に固定できる。すなわち、固定具２を容易に支柱１に固定できる。
【０１０９】
また、物品支持部材１０は、磁石２５，２６によって支柱１に付着させて固定可能な固定具２を備えるので、物品支持部材１０を容易に組み立てることができる。
【０１１０】
なお、上記においては、棒状部材２３の延伸方向を調整する方向は、水平方向、水平方向から１度だけ上方向、および水平方向から２度だけ上方向のいずれかであると説明したが、この発明においては、これに限らず、これ以外の方向に棒状部材２３の延伸方向を調整するようにしてもよい。この場合、平板部材２１の穴２１４，２１５，２１６の相互の配置位置関係を変えることにより、棒状部材２３の延伸方向を調整可能な方向を変える。
【０１１１】
また、上記においては、荷重支持部材３は、断面形状が四角形である筒状構造を有すると説明したが、この発明においては、これに限らず、荷重支持部材は、断面形状が円形である筒状構造からなっていてもよい。
【０１１２】
図１１は、荷重支持部材の他の例を示す斜視図である。この発明においては、荷重支持部材は、図１１に示す荷重支持部材３０であってもよい。図１１を参照して、荷重支持部材３０は、断面形状が円形である筒状構造からなり、外周面３０１に穴３０２を有する。そして、荷重支持部材３０は、固定具２の棒状部材２３の頂点２３２Ａ，２３２Ｃ間の距離（＝頂点２３２Ｂ，２３２Ｄ間の距離）を直径とする中空部分３０４を有する。
【０１１３】
したがって、荷重支持部材３０を矢印５の方向に移動させることにより、固定具２の棒状部材２３が端面３０３から中空部分３０４へ挿入され、棒状部材２３の４個の頂点２３２Ａ，２３２Ｂ，２３２Ｃ，２３２Ｄが荷重支持部材３０の内壁に内接する。そして、穴３０２が穴２３３に一致する位置で荷重支持部材３０を停止させ、穴２３３，３０２に止め具を挿入することにより、荷重支持部材３０を棒状部材２３に取り付けることができる。
【０１１４】
図１２は、この発明による固定具の他の斜視図である。この発明による固定具は、図１２に示す固定具２０であってもよい。図１２を参照して、固定具２０は、図２に示す固定具２０の平板部材２４の配置位置を代えたものであり、その他は、固定具２と同じである。
【０１１５】
すなわち、固定具２においては、平板部材２４は、棒状部材２３の延伸部２３２が設けられた側と反対側に配置されているが、固定具２０においては、平板部材２４は、棒状部材２３の延伸部２３２が設けられた側に配置される。
【０１１６】
平板部材２４を延伸部２３２側に配置した固定具２０を用いた場合も、固定具２を用いた場合と同様に、固定具２０を支柱１に容易に固定できるとともに、固定具２０を備える物品支持装置１０を容易に組み立てることができる。
【０１１７】
固定具２，２０においては、磁石２５，２６は、平板部材２１，２２の突出部２１３，２２３に嵌め込まれると説明したが、この発明においては、磁石２５，２６は、平板部材２１，２２の突出部２１３，２２３に代えて平板部材２４の突出部２４１１，２４１２に嵌め込まれてもよい。また、この発明においては、平板部材２１，２２の突出部２１３，２２３および平板部材２４の突出部２４１１，２４１２の両方に磁石を嵌め込んでもよい。すなわち、この発明においては、磁石は、平板部材２１，２２および平板部材２４の少なくとも一方の平板部材に嵌め込まれていればよい。
【０１１８】
そして、磁石を平板部材２１，２２および平板部材２４の少なくとも一方の平板部材に嵌め込む場合、平板部材２１，２２および平板部材２４がそれぞれ支柱１の支持面１１，１２に接触する面側から平板部材２１，２２および平板部材２４に嵌め込まれてもよく、平板部材２１，２２および平板部材２４がそれぞれ支柱１の支持面１１，１２に接触する面と反対面側から平板部材２１，２２および平板部材２４に嵌め込まれていてもよい。この場合、磁石は、平板部材２１，２２，２４を介して支柱１に磁力を及ぼし、固定具２を支柱１に付着させるが、磁力の大きい磁石を用いれば、磁力によって固定具２を支柱１に付着させることは可能である。
【０１１９】
図１３は、この発明による固定具のさらに他の斜視図である。この発明による固定具は、図１３に示す固定具２００であってもよい。図１３を参照して、固定具２００は、図２に示す固定具２の穴２１４〜２１６，２２４および平板部材２４を削除したものであり、その他は、固定具２と同じである。
【０１２０】
固定具２００を用いた場合、棒状部材２３の延伸方向を水平方向、水平方向よりも１度だけ上方向を向いた方向および水平方向よりも２度だけ上方向を向いた方向のいずれかに調整することはできないが、磁石２５，２６がそれぞれ突出部２１３，２２３に嵌め込まれているので、固定具２００を磁力によって支柱１の支持面１１に付着させた状態で、固定具２００をスライドさせ、かつ、棒状部材２３の延伸方向が所望の方向を向くように支持面１１内において固定具２００を回転させることにより、棒状部材２３の延伸方向が所望の方向を向き、かつ、所望の高さに固定具２００を設置できる。
【０１２１】
したがって、固定具２００を用いた場合も、固定具２００を支柱１に容易に固定できるとともに、物品支持部材１０を容易に組み立てることができる。
【０１２２】
さらに、上記においては、支柱１は、断面形状が四角形であると説明したが、この発明においては、これに限らず、支柱は、断面形状が三角形、五角形および六角形等の多角形であってもよく、断面形状が円形であってもよい。支柱の断面形状が四角形以外の多角形である場合、平板部材２１，２２と平板部材２４との成す角度がその多角形の隣接する２つの面の成す角度になるように設定される。また、支柱の断面形状が円形である場合、固定具２，２０，２００を磁石２５，２６によって支柱に付着させることができるので、上述したように、固定具２，２０，２００を支柱に容易に固定できるとともに、物品支持装置１０を容易に組み立てることができる。
【０１２３】
この発明においては、平板部材２１，２２は、「平板部材」または「第１の平板部材」を構成し、平板部材２４は、「第２の平板部材」を構成する。
【０１２４】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【０１２５】
この発明は、取付が容易な固定具に適用される。また、この発明は、取付が容易な固定具を備えた物品支持装置に適用される。さらに、この発明は、取付が容易な固定具を支柱に取り付ける取付方法に適用される。さらに、この発明の別の目的は、取付が容易な固定具を備えた物品支持装置の組立方法に適用される。
【図面の簡単な説明】
【０１２６】
【図１】この発明の実施の形態による物品支持装置の斜視図である。
【図２】図１に示す固定具の斜視図である。
【図３】図２に示す平板部材の主面側から見た平板部材および棒状部材の斜視図である。
【図４】図２に示す固定具の平面図および側面図である。
【図５】図２に示す固定具の他の平面図および他の側面図である。
【図６】固定具における棒状部材の延伸方向の調整を説明するための図である。
【図７】図１に示す荷重支持部材を固定具に取り付ける方法を説明するための図である。
【図８】図１に示す物品支持装置の組立方法を説明するための工程図である。
【図９】固定具を支柱に固定する動作を説明するためのフローチャートである。
【図１０】図１に示す物品支持装置を組み立てる動作を説明するためのフローチャートである。
【図１１】荷重支持部材の他の例を示す斜視図である。
【図１２】この発明による固定具の他の斜視図である。
【図１３】この発明による固定具のさらに他の斜視図である。
【図１４】従来の物品支持装置を示す斜視図である。
【図１５】図１４に示す固定具の斜視図である。
【図１６】図１４に示す荷重支持部材の斜視図である。
【符号の説明】
【０１２７】
１，１ａ，１ｂ  支柱、２，２０，２００  固定具、３，３ａ，３ｂ，３０  荷重支持部材、４  棚板、５  矢印、１０  物品支持装置、１１，１２  支持面、２１，２２，２４  平板部材、２１Ａ，２２Ａ，２４１Ａ  主面、２１Ｂ，２１Ｃ，２１Ｄ，２２Ｂ，２２Ｃ，２２Ｄ，３３，２４１Ｂ，２４１Ｃ，２４１Ｄ，３０３  端面、２３  棒状部材、２３Ａ  上面、２５，２６  磁石、３１  側面、３２，３０４  中空部分、２１１，２１２，２１４〜２１６，２２１，２２２，２２４，２３３，３０２，３１１，２４２１〜２４２３，２４３１  穴、２１３，２２３，２４１１，２４１２  突出部、２１７，２２５，２４１３  凹部、２３１  一体作製部、２３１Ａ，２３１Ｂ  水平部、２３２  延伸部、２３２Ａ，２３２Ｂ，２３２Ｃ，２３２Ｄ  頂点、２４１  本体部、２４２，２４３  取付部、２４２Ａ  先端、３０１  外周面。
【図１】
2006334116.tif 000003
【図２】
2006334116.tif 000004
【図３】
2006334116.tif 000005
【図４】
2006334116.tif 000006
【図５】
2006334116.tif 000007
【図６】
2006334116.tif 000008
【図７】
2006334116.tif 000009
【図８】
2006334116.tif 000010
【図９】
2006334116.tif 000011
【図１０】
2006334116.tif 000012
【図１１】
2006334116.tif 000013
【図１２】
2006334116.tif 000014
【図１３】
2006334116.tif 000015
【図１４】
2006334116.tif 000016
【図１５】
2006334116.tif 000017
【図１６】
2006334116.tif 000018